(57)【特許請求の範囲】
【請求項１】
信号を増幅する増幅器で発生する歪みを補償する増幅装置において、
信号を増幅する増幅器と、
回路パラメータに応じて増幅器で発生する歪みを補償する歪み補償回路と、
増幅器の温度又は増幅器の入力レベルの少なくともいずれか一方を検出する検出手段と、
歪み補償回路の回路パラメータを初期値から変化させて、歪み補償回路による補償後の信号に含まれる歪みを低減させる制御手段と、を備え、
制御手段は、増幅器の温度又は増幅器の入力レベルの少なくともいずれか一方の基準値である検出結果基準値と、歪み補償回路の回路パラメータの初期値の基準値である初期値基準値と、検出結果基準値からの変化量に応じた初期値基準値からの変化量をメモリに記憶しており、検出手段による検出結果の検出結果基準値からの変化量に応じた変化量だけ初期値基準値からずらした値を回路パラメータの初期値として歪み補償回路に設定することを特徴とする増幅装置。
【発明の詳細な説明】
【０００１】
【発明の属する技術分野】
本発明は、信号を増幅する増幅器で発生する歪みを補償する増幅装置に関し、特に、増幅器の温度や増幅器の入力レベルが変化した場合であっても、歪み補償を高速に安定化させる増幅装置に関する。
【０００２】
【従来の技術】
例えばＣＤＭＡ方式を採用する移動通信システムに備えられた基地局装置等では、送信対象となる信号を増幅器で増幅することが行われている。また、増幅器で信号を増幅する際には当該信号が増幅されるのと同時に例えば当該信号とは異なる周波数帯域に歪みが発生することから、このような基地局装置等では、増幅器で発生した歪みを低減させる歪み補償処理を行うことにより、通信品質の向上を図っている。
【０００３】
図５には、例えばフィードフォワード方式を用いて歪み補償を行う増幅装置の一例を示してあり、この増幅装置には、信号を分配する２つの分配器１、５や、信号を減衰させる２つの減衰器（可変減衰器）２、８や、信号の位相をシフトさせる（ずらす）２つの位相器（可変位相器）３、９や、信号を増幅する２つの増幅器４、１０や、信号を遅延させる２つの遅延線６、１１や、信号を合成する合成器７、１２が備えられている。また、各減衰器２、８での減衰量や各位相器３、９での位相シフト量は可変であり、例えば制御部（図示せず）により変化させることができる。
【０００４】
ここで、上記図５中で上方に配置された減衰器２、位相器３、増幅器４は増幅対象となる信号を処理するためのものであり、以下では、これらをそれぞれ第１の減衰器２、第１の位相器３、主増幅器４とも言う。なお、主増幅器４で発生する歪みが補償対象となる歪みである。
一方、上記図５中で下方に配置された減衰器８、位相器９、増幅器１０は後述するように合成器７で取得される歪み成分を処理するためのものであり、以下では、これらをそれぞれ第２の減衰器８、第２の位相器９、歪み増幅器１０とも言う。
【０００５】
上記図５に示した増幅装置により行われる信号処理の一例を示す。
すなわち、増幅装置では、増幅対象となる信号（伝送波）が外部入力端子Ｐを介して分配器１に入力され、当該信号が当該分配器１により分配されて第１の減衰器２及び遅延線６へ出力される。
【０００６】
第１の減衰器２に入力される信号は当該第１の減衰器２により減衰させられた後に第１の位相器３へ出力され、当該信号の位相が当該第１の位相器３によりシフトさせられた後に当該信号が主増幅器４へ出力される。主増幅器４に入力される信号は当該主増幅器４により増幅され、当該増幅信号が分配器５へ出力される。ここで、分配器５へ出力される増幅信号には、主増幅器４で発生した歪みが含まれる。分配器５に入力される信号（増幅信号）は当該分配器５により分配されて遅延線１１及び合成器７へ出力される。
【０００７】
また、分配器１から遅延線６に入力される信号は当該遅延線６により所定の時間遅延させられて合成器７へ出力される。
分配器５から合成器７に入力される信号（増幅信号の一部）と遅延線６から合成器７に入力される信号とは当該合成器７により合成させられ、当該合成信号が第２の減衰器８へ出力される。
【０００８】
ここで、制御部は、分配器５から合成器７に入力される信号中の歪み以外の信号成分（すなわち、本来の処理対象となる信号成分）の振幅と、遅延線６から合成器７に入力される遅延信号の振幅とが同じになるように第１の減衰器２での減衰量を調整するとともに、当該信号成分の位相と当該遅延信号の位相とが逆位相になる（すなわち、互いに９０度ずれる）ように第１の位相器３での位相シフト量を調整する。
【０００９】
このような調整が行われると、遅延線６から合成器７に入力される信号には歪みが含まれていないことから、当該合成器７による合成処理では本来の処理対象となる信号成分（入力伝送波の成分）が相殺され、これにより、当該合成器７からは例えば主増幅器４で発生した歪み成分のみが合成信号として取得されて当該歪み成分が第２の減衰器８へ出力される。
【００１０】
第２の減衰器８に入力される合成信号（上記の調整が行われた場合には、歪み成分）は当該第２の減衰器８により減衰させられた後に第２の位相器９へ出力され、当該合成信号の位相が当該第２の位相器９によりシフトさせられた後に当該合成信号が歪み増幅器１０へ出力される。歪み増幅器１０に入力される合成信号は当該歪み増幅器１０により増幅され、当該増幅信号が合成器１２へ出力される。
【００１１】
また、分配器５から遅延線１１に入力される信号は当該遅延線１１により所定の時間遅延させられて合成器１２へ出力される。
歪み増幅器１０から合成器１２に入力される信号と遅延線１１から合成器１２に入力される信号とは当該合成器１２により合成させられ、当該合成信号が外部出力端子Ｑから出力される。
【００１２】
ここで、制御部は、例えば上記のような第１の減衰器２及び第１の位相器３の調整を行った後に、歪み増幅器１０から合成器１２に入力される歪み成分の振幅と、遅延線１１から合成器１２に入力される遅延信号の振幅とが同じになるように第２の減衰器８での減衰量を調整するとともに、当該歪み成分の位相と当該遅延信号の位相とが逆位相になる（すなわち、互いに９０度ずれる）ように第２の位相器９での位相シフト量を調整する。
【００１３】
このような調整が行われると、遅延線１１から合成器１２に入力される信号には主増幅器４で発生した歪み成分が含まれていることから、当該合成器１２による合成処理では主増幅器４で発生した歪み成分が相殺され、これにより、当該合成器１２からは歪み補償された増幅信号、ずなわち、主増幅器４で増幅された信号から当該主増幅器４で発生した歪みを除去した信号が合成信号として取得されて外部出力端子Ｑを介して出力される。
【００１４】
ここで、図６には、上記した制御部等により行われる歪み補償処理、すなわち、上記した２つの減衰器２、３での減衰量や上記した２つの位相器３、９での位相シフト量をパラメータとして調整する処理の手順の一例を示してある。なお、この調整処理は、例えば歪み補償を高速に安定化させるために、ソフトウエアを用いて行われる。
【００１５】
上記図６に示されるように、制御部では、歪み補償処理の制御が開始されると、まず、例えば予めメモリに記憶された初期値のデータを参照して、上記した各減衰器２、８での減衰量及び上記した各位相器３、９での位相シフト量のそれぞれに対して初期値を設定する（ステップＳ２１）。
【００１６】
次に、制御部では、必要に応じて、第１の位相器３を制御して当該第１の位相器３での位相シフト量を初期値から変化させるとともに（ステップＳ２２）、第１の減衰器２を制御して当該第１の減衰器２での減衰量を初期値から変化させることにより（ステップＳ２３）、例えば合成器７で歪み成分のみが取得されるように当該位相シフト量及び当該減衰量を調整する（ステップＳ２４）。
【００１７】
次いで、制御部では、必要に応じて、第２の位相器９を制御して当該第２の位相器９での位相シフト量を初期値から変化させるとともに（ステップＳ２５）、第２の減衰器８を制御して当該第２の減衰器８での減衰量を初期値から変化させることにより（ステップＳ２６）、合成器１２で歪み成分が相殺されるように当該位相シフト量及び当該減衰量を調整し（ステップＳ２７）、これにより、最適な歪み補償が実現されるようにする。
【００１８】
なお、主増幅器４で発生する歪みが安定でなくなると（ステップＳ２８）、上記のようにして調整した各減衰器２、８での減衰量や各位相器３、９での位相シフト量が最適な値からずれるため、制御部では、再び上記のような調整処理を行って最適な歪み補償が実現されるようにする（ステップＳ２２〜ステップＳ２７）。
【００１９】
【発明が解決しようとする課題】
しかしながら、例えば上記図５に示したような従来の増幅装置では、各減衰器２、８に設定する減衰量の初期値や各位相器３、９に設定する位相シフト量の初期値が固定的に定められていたため、例えば主増幅器４の温度や主増幅器４の入力レベルといった主増幅器４の使用環境が変化した場合には、当該初期値における歪み量が悪化してしまう（大きくなってしまう）ことから、歪み補償を安定化させるのに要する時間（安定化時間）が非常に長くなってしまうといった不具合があった。
【００２０】
ここで、図７には、具体例として、通常の状態（初期値における歪み量が悪化していない状態）における歪み補償処理時間と残存する歪み量との関係の一例を実線Ｒ１で示すとともに、初期値における歪み量が悪化した状態における歪み補償処理時間と残存する歪み量との関係の一例を点線Ｒ２で示してある。なお、同図に示したグラフの横軸は歪み補償処理の処理時間を示し、縦軸は歪み補償後の信号（例えば合成器１２から出力される信号）に含まれる歪みの量を示している。
【００２１】
同図に示されるように、例えば通常の状態では初期値における歪み量ｘが比較的小さいことから歪み補償の安定化時間ｔ１も比較的短いのに対して、例えば初期値における歪み量が悪化した状態では当該歪み量ｙが大きくなってしまうことから安定化時間ｔ２も非常に長くなってしまうといった不具合があった。
【００２２】
また、例えば上記のような増幅装置が基地局装置等に備えられる場合には、歪み補償が安定化されるまでに多くの時間がかかってしまうと、当該安定化が実現されるまでの間において隣接チャネル漏洩電力（つまり、歪みの電力）が増加してしまうことや大きな相互変調歪みが発生してしまうことが生じるため、システムに悪影響が及ぼされ、通信品質の劣化等を生じてしまうといった不具合があった。
【００２３】
本発明は、このような従来の課題を解決するためになされたもので、増幅器で発生する歪みを補償するに際して、例えば増幅器の温度や増幅器の入力レベルが変化した場合であっても、歪み補償を高速に安定化させることができる増幅装置を提供することを目的とする。
【００２４】
【課題を解決するための手段】
上記目的を達成するため、本発明に係る増幅装置では、次のようにして、信号を増幅する増幅器で発生する歪みを補償する。
すなわち、回路パラメータに応じて増幅器で発生する歪みを補償する歪み補償回路を用いて歪み補償を行うに際して、検出手段が増幅器の温度又は増幅器の入力レベルの少なくともいずれか一方を検出し、制御手段が検出手段の検出結果に応じた値を回路パラメータの初期値として歪み補償回路に設定した後に、当該回路パラメータを当該初期値から変化させて、歪み補償回路による補償後の信号に含まれる歪みを低減させる。
【００２５】
従って、歪み補償回路の回路パラメータの初期値が増幅器の温度の検出結果や増幅器の入力レベルの検出結果に応じて歪み補償回路に設定されるため、例えば増幅器の温度や増幅器の入力レベルが変化した場合であっても、従来と比べて、歪み補償を高速に安定化させることができる。
【００２６】
【発明の実施の形態】
本発明に係る一実施例を図面を参照して説明する。
なお、本例では、例えば上記図５に示したようなフィードフォワード方式歪み補償増幅装置に本発明を適用した場合を示す。また、本例では、説明の便宜上から、上記図５に示した増幅装置と同様な構成部分１〜１２、Ｐ、Ｑについては同一の符号を付して示し、また、上記図６に示したグラフと同様な歪み補償処理を表す実線Ｒ１や点線Ｒ２については同一の符号を付して示す。
【００２７】
図１には、本例の増幅装置の構成例を示してあり、この増幅装置には、例えば上記図５に示したものと同様な外部入力端子Ｐと分配器１と第１の減衰器２と第１の位相器３と主増幅器４と分配器５と遅延線６と合成器７と第２の減衰器８と第２の位相器９と歪み増幅器１０と遅延線１１と合成器１２と外部出力端子Ｑとが備えられているとともに、本例の特徴部分である周囲温度検出器２１と入力レベル検出器２２と初期値算出装置２３とが備えられており、また、各減衰器２、８や各位相器３、９を制御する制御部（図示せず）が備えられている。
【００２８】
本例では、制御部等により行われる歪み補償処理の手順の一例を示しつつ、主として、本例の特徴部分である周囲温度検出器２１や入力レベル検出器２２や初期値算出装置２３について詳しく説明する。
周囲温度検出器２１は、本例の増幅装置の周囲の温度を検出し、当該検出結果を初期値算出装置２３に通知する機能を有している。
【００２９】
入力レベル検出器２２は、外部入力端子Ｐを介して分配器１に入力される信号の電力レベルを検出し、当該検出結果を初期値算出装置２３に通知する機能を有している。
初期値算出装置２３は、周囲温度検出器２１から通知される周囲温度の検出結果と入力レベル検出器２２から通知される入力電力レベルの検出結果とに応じた値を各減衰器２、８での減衰量の初期値や各位相器３、９での位相シフト量の初期値として当該各減衰器２、８や当該各位相器３、９に設定する機能を有している。
【００３０】
ここで、図２を参照して、本例の初期値算出装置２３による初期値の設定の仕方を詳しく説明する。
すなわち、本例の初期値算出装置２３は例えばメモリを有しており、当該メモリには、各減衰器２、８での減衰量の初期値や各位相器３、９での位相シフト量の初期値として設定する値と、当該値を初期値とする場合における周囲温度の条件及び入力電力レベルの条件とが予め対応付けられて記憶されている。
【００３１】
一例として、上記図２（ａ）に示されるように、メモリには、周囲温度が（２５±ａ）［°Ｃ］以内であって入力電力レベルが（規定入力レベル±ｂ）［ｄＢ］以内である状態を通常状態として、当該通常状態において第１の減衰器２に設定する減衰量の初期値Ａと、第１の位相器３に設定する位相シフト量の初期値Ｂと、第２の減衰器８に設定する減衰量の初期値Ｃと、第２の位相器９に設定する位相シフト量の初期値Ｄとが記憶されている。なお、上記した規定入力レベルは、例えば主増幅器４の性能等に応じて、予め設定されている。
【００３２】
また、上記図２（ｂ）に示されるように、メモリには、周囲温度が（２５−ｃ）［°Ｃ］に達して入力電力レベルが（規定入力レベル±ｂ）［ｄＢ］以内である状態を周囲温度が低下した周囲温度低下状態として、当該周囲温度低下状態において第１の減衰器２に設定する減衰量の初期値（Ａ−α）と、第１の位相器３に設定する位相シフト量の初期値（Ｂ−β）と、第２の減衰器８に設定する減衰量の初期値（Ｃ−γ）と、第２の位相器９に設定する位相シフト量の初期値（Ｄ−δ）とが記憶されている。なお、周囲温度の変化量ｃは同図（ａ）で示した変化量ａより大きく、α〜δは変化量ｃに対する各パラメータ（すなわち、各減衰器２、８での減衰量及び各位相器３、９での位相シフト量）の通常状態からの変化量を示す。
【００３３】
また、上記図２（ｃ）に示されるように、メモリには、周囲温度が（２５±ａ）［°Ｃ］以内であって入力電力レベルが（規定入力レベル＋ｄ）［ｄＢ］に達した状態を入力電力レベルが増加した入力電力増加状態として、当該入力電力増加状態において第１の減衰器２に設定する減衰量の初期値（Ａ−ε）と、第１の位相器３に設定する位相シフト量の初期値（Ｂ−ζ）と、第２の減衰器８に設定する減衰量の初期値（Ｃ−η）と、第２の位相器９に設定する位相シフト量の初期値（Ｄ−θ）とが記憶されている。なお、入力電力レベルの変化量ｄは同図（ａ）で示した変化量ｂより大きく、ε〜θは変化量ｄに対する各パラメータ（すなわち、各減衰器２、８での減衰量及び各位相器３、９での位相シフト量）の通常状態からの変化量を示す。
【００３４】
また、例えば装置の使用状況等に応じて、メモリには、以上に示した状態以外の状態において各減衰器２、８に設定する減衰量の初期値や各位相器３、９に設定する位相シフト量の初期値が当該状態における周囲温度の条件や入力電力レベルの条件と対応させられて記憶されている場合もある。
【００３５】
ここで、通常状態以外の状態において各減衰器２、８や各位相器３、９に初期値として設定する値としては、当該通常状態以外の状態で当該値を各減衰器２、８及び各位相器３、９に設定すると、例えば当該通常状態以外の状態で通常状態に対して定められた初期値を設定する場合と比べて、歪み補償後の信号（例えば合成器１２から出力される信号）に含まれる歪みの量が小さくなるような値が定められている。つまり、本例では、周囲温度や入力電力レベルに応じた値を各減衰器２、８や各位相器３、９に初期値として設定した段階で、歪み補償後の信号に含まれる歪みの量が或る程度小さくなることが実現される。なお、このような初期値は例えば実験により定められ、或いは、理論的な計算により定められてもよい。
【００３６】
本例の初期値算出装置２３は、例えば歪み補償処理が開始されると、まず、上記図２（ａ）〜上記図２（ｃ）に示したようなメモリの記憶内容を参照するとともに、周囲温度検出器２１による周囲温度の検出結果及び入力レベル検出器２２による入力電力レベルの検出結果を参照する。次に、初期値算出装置２３は、メモリに記憶された各状態における周囲温度の条件及び入力電力レベルの条件と、周囲温度の検出結果及び入力電力レベルの検出結果とを比較して、これらの検出結果に合った周囲温度の条件及び入力電力レベルの条件を有する状態における各パラメータ（すなわち、各減衰器２、８での減衰量及び各位相器３、９での位相シフト量）の通常状態からの変化量を算出する。
【００３７】
そして、例えば周囲温度と入力電力レベルとの両方或いはいずれか一方の変化量が著しくて、検出された周囲温度と検出された入力電力レベルとの両方或いはいずれか一方が通常状態における条件（上記図２（ａ）に示した条件）から外れてしまった場合には、初期値算出装置２３は、各減衰器２、８での減衰量の初期値として設定する値の通常状態からの補正量（変化量）や各位相器３、９での位相シフト量の初期値として設定する値の通常状態からの補正量（変化量）を算出し、当該算出結果に基づいて、当該周囲温度及び当該入力電力レベルに応じた減衰量の初期値を各減衰器２、８に伝送して設定するとともに、当該周囲温度及び当該入力電力レベルに応じた位相シフト量の初期値を各位相器３、９に伝送して設定する。
【００３８】
次に、図３を参照して、本例の制御部等により行われる歪み補償処理、すなわち、上記した２つの減衰器２、８での減衰量の初期値や上記した２つの位相器３、９での位相シフト量の初期値を設定して、これらの減衰量や位相シフト量をパラメータとして調整する処理の手順の一例を示す。なお、この調整処理は、例えば歪み補償を高速に安定化させるために、ソフトウエアを用いて行われる。
【００３９】
上記図３に示されるように、歪み補償処理の制御が開始されると、まず、初期値算出装置２３では、例えば上記図２（ａ）〜上記図２（ｃ）に示したような予めメモリに記憶された初期値のデータを参照した後に（ステップＳ１）、周囲温度検出器２１及び入力レベル検出器２２により周囲温度及び入力電力レベルを検出し（ステップＳ２）、当該検出結果に応じた値を最適な初期値として算出して、算出した値を各減衰器２、８での減衰量及び各位相器３、９での位相シフト量のそれぞれの初期値として設定する（ステップＳ３）。
【００４０】
次に、制御部では、必要に応じて、第１の位相器３を制御して当該第１の位相器３での位相シフト量を初期値から変化させるとともに（ステップＳ４）、第１の減衰器２を制御して当該第１の減衰器２での減衰量を初期値から変化させることにより（ステップＳ５）、例えば合成器７で歪み成分のみが取得されるように当該位相シフト量及び当該減衰量を調整する（ステップＳ６）。
【００４１】
次いで、制御部では、必要に応じて、第２の位相器９を制御して当該第２の位相器９での位相シフト量を変化させるとともに（ステップＳ７）、第２の減衰器８を制御して当該第２の減衰器８での減衰量を変化させることにより（ステップＳ８）、合成器１２で歪み成分が相殺されるように当該位相シフト量及び当該減衰量を調整し（ステップＳ９）、これにより、最適な歪み補償が実現されるようにする。
【００４２】
なお、主増幅器４で発生する歪みが安定でなくなると（ステップＳ１０）、上記のようにして調整した各減衰器２、８での減衰量や各位相器３、９での位相シフト量が最適な値からずれるため、制御部では、再び上記のような調整処理を行って最適な歪み補償が実現されるようにする（ステップＳ４〜ステップＳ９）。
【００４３】
また、例えば周囲温度検出器２１により検出される周囲温度や入力レベル検出器２２により検出される入力電力レベルが変化すると（ステップＳ１１）、上記のようにして設定した各減衰器２、８での減衰量の初期値や各位相器３、９での位相シフト量の初期値が最適な値からずれるため、初期値算出装置２３では、再び上記のような初期値設定処理を行って最適な初期値が設定されるようにし（ステップＳ２、Ｓ３）、制御部では、再び上記のような調整処理を行う（ステップＳ４〜ステップＳ９）。
【００４４】
ここで、図４には、具体例として、例えば上記図７に示したものと同様な実線Ｒ１及び点線Ｒ２を示してあるとともに、本例の歪み補償処理が行われる場合における歪み補償処理時間と残存する歪み量との関係の一例を点線Ｒ３で示してあり、図４に示したグラフの横軸は歪み補償処理の処理時間を示し、縦軸は歪み補償後の信号（例えば合成器１２から出力される信号）に含まれる歪みの量を示している。
【００４５】
なお、本例では、実線Ｒ１は例えば通常状態において当該通常状態に対応した初期値が設定された場合（初期値における歪み量が悪化していない場合）における歪み補償処理時間と残存する歪み量との関係の一例を示しており、点線Ｒ２は例えば通常状態以外の状態において通常状態に対応した初期値が設定された場合（初期値における歪み量が悪化した場合）における歪み補償処理時間と残存する歪み量との関係の一例を示している。
【００４６】
上記図４に示されるように、例えば通常状態以外の状態において従来のように通常状態に対応した固定的な初期値を設定した場合には当該初期値における歪み量ｙが大きくなって歪み補償の安定化に要する時間（安定化時間）ｔ２も非常に長くなってしまうが、本例では、それぞれの状態に応じた初期値を設定することにより当該初期値における歪み量を例えば上記した歪み量ｘ程度に小さくしてから歪み補償処理が行われるため、歪み補償の安定化時間を例えば上記した安定化時間ｔ１程度に短くすることができる。
【００４７】
以上のように、本例の増幅装置では、周囲温度検出器２１により検出される周囲温度及び入力レベル検出器２２により検出される入力電力レベルに応じた値が各減衰器２、８での減衰量の初期値や各位相器３、９での位相シフト量の初期値として設定されて、これらの減衰量や位相シフト量がパラメータとして当該初期値から変化させられて歪み補償が行われる。
【００４８】
従って、本例の増幅装置では、例えば周囲温度や入力電力レベルが変化した場合であっても、従来と比べて、歪み補償を高速に安定化させることができる。具体的には、例えば周囲温度が非常に低い状態や非常に高い状態で装置の電源がオンにされた場合や、例えば信号の入力電力レベルが変動してしまうような場合であっても、本例の増幅器では、歪み補償を高速に安定化させることができる。
【００４９】
また、本例の増幅装置は、一例として、ＣＤＭＡ方式を採用する基地局装置等に備えられて、当該基地局装置等により無線送信される信号（キャリア信号）を増幅する。このような増幅に際して、本例の増幅装置では、上記と同様に、当該基地局装置等の周囲温度や信号（キャリア信号）の入力電力レベルに応じた初期値の設定が行われるため、従来と比べて、歪み補償を高速に安定化させることができる。従って、本例のような増幅装置が基地局装置等に備えられる場合には、歪み補償の安定化を高速に実現することができるため、例えば上記課題で示したような隣接チャネル漏洩電力（つまり、歪みの電力）や相互変調歪みの発生を低く抑えることができ、これにより、通信品質を向上させること等ができる。
【００５０】
ここで、本例では、信号を増幅する主増幅器４が本発明に言う増幅器に相当し、当該主増幅器４で発生する歪みが補償対象の歪みである。
また、本例では、２つの分配器１、５や２つの減衰器２、８や２つの位相器３、９や２つの遅延線６、１１や歪み増幅器１０や合成器１２を有して各減衰器２、８での減衰量や各位相器３、９での位相シフト量に応じて主増幅器４で発生する歪みを補償する回路が本発明に言う歪み補償回路に相当する。また、本例では、各減衰器２、８での減衰量や各位相器３、９での位相シフト量が本発明に言う回路パラメータに相当する。
【００５１】
また、本例では、周囲温度検出器２１が周囲温度を検出するとともに入力レベル検出器２２が入力電力レベルを検出する機能により、本発明に言う検出手段が構成されている。ここで、本例では、増幅装置の周囲温度を主増幅器４（本発明に言う増幅器）の温度と擬制して検出する構成としたが、当該主増幅器４の使用環境（ここでは、温度）を実用上で有効な程度で特定することができれば、温度検出の場所としては任意であってもよい。同様に、本例では、外部入力端子Ｐを介して入力される信号のレベルを主増幅器４（本発明に言う増幅器）の入力レベルと擬制して検出する構成としたが、当該主増幅器４の使用環境（ここでは、入力レベル）を実用上で有効な程度で特定することができれば、信号レベル検出の位置としては任意であってもよい。
【００５２】
また、本例では、初期値算出装置２３が周囲温度検出器２１による周囲温度の検出結果及び信号レベル検出器２２による入力電力レベルの検出結果に応じた値を各減衰器２、８での減衰量の初期値や各位相器３、９での位相シフト量の初期値として歪み補償回路に設定する機能や、制御部が当該減衰量や当該位相シフト量を当該初期値から変化させて、歪み補償回路による歪み補償後の信号（本例では、例えば合成器１２から出力される信号）に含まれる歪みを例えばゼロにするように低減させる（すなわち、歪み補償する）機能により、本発明に言う制御手段が構成されている。
【００５３】
なお、本例では、増幅器の温度（本例では、周囲温度）と増幅器の入力レベル（本例では、入力電力レベル）との両方を検出して、これら両方の検出結果に応じた値を初期値として設定したが、本発明では、例えば増幅器の温度のみを検出して当該検出結果に応じた値を初期値として設定してもよく、また、例えば増幅器の入力レベルのみを検出して当該検出結果に応じた値を初期値として設定してもよく、要は、温度と入力レベルとの少なくともいずれか一方を検出するものであればよい。
【００５４】
また、本発明に言う回路パラメータの初期値の設定の仕方としては、特に限定はなく、例えば複数の温度状態や複数の入力レベル状態に応じて各状態で初期値として用いるのに適当な値（離散的な値）を予め記憶して、温度や入力レベルの検出結果に対応する値を初期値として選択して設定するような構成としてもよく、また、例えば温度や入力レベルの基準値（以下で、基準値Ａと言う）や初期値の基準値（以下で、基準値Ｂと言う）を予め定めて、温度や入力レベルの基準値Ａからの変化方向（例えば増加方向或いは減少方向）に応じて、初期値として設定する値を基準値Ｂからアナログ的にずらす（例えば温度や入力レベルの変化量に応じた量を増加させる或いは減少させる）ような構成としてもよい。
【００５５】
ここで、本発明に係る増幅装置の構成としては、必ずしも以上に示したものに限られず、種々な構成が用いられてもよい。
一例として、本発明に係る増幅装置の適用分野としては、必ずしもＣＤＭＡ方式を採用する基地局装置や移動局装置に適用されるばかりでなく、本発明は、例えばＴＤＭＡ方式やＦＤＭＡ方式を採用する基地局装置等といった他の装置に適用することも可能であり、また、歪み補償の対象となる信号としても種々のものであってもよい。
【００５６】
また、本発明に係る増幅装置により行われる歪み補償処理（初期値設定処理を含む）等としては、例えばプロセッサやメモリ等を備えたハードウエア資源においてプロセッサがＲＯＭに格納された制御プログラムを実行することにより制御される構成であってもよく、また、例えば当該処理を実行するための各機能手段が独立したハードウエア回路として構成されてもよい。また、本発明は上記の制御プログラムを格納したフロッピーディスクやＣＤ−ＲＯＭ等のコンピュータにより読み取り可能な記録媒体として把握することもでき、当該制御プログラムを記録媒体からコンピュータに入力してプロセッサに実行させることにより、本発明に係る処理を遂行させることができる。
【００５７】
【発明の効果】
以上説明したように、本発明に係る増幅装置によると、回路パラメータに応じて増幅器で発生する歪みを補償する歪み補償回路を用いて歪み補償を行うに際して、増幅器の温度又は増幅器の入力レベルの少なくともいずれか一方を検出し、当該検出結果に応じた値を回路パラメータの初期値として歪み補償回路に設定した後に、当該回路パラメータを当該初期値から変化させて、歪み補償回路による補償後の信号に含まれる歪みを低減させるようにしたため、例えば増幅器の温度や増幅器の入力レベルが変化した場合であっても、従来と比べて、歪み補償を高速に安定化させることができる。
【図面の簡単な説明】
【図１】本発明の一実施例に係る増幅装置の構成例を示す図である。
【図２】各状態に対応した回路パラメータの初期値の一例を示す図である。
【図３】本発明の一実施例に係る増幅装置により行われる歪み補償処理の手順の一例を示す図である。
【図４】本発明の一実施例に係る増幅装置を用いた場合の安定化時間の一例を示す図である。
【図５】従来例に係る増幅装置の構成例を示す図である。
【図６】従来例に係る増幅装置により行われる歪み補償処理の手順の一例を示す図である。
【図７】従来例に係る増幅装置を用いた場合の安定化時間の一例を示す図である。
【符号の説明】
１、５・・分配器、  ２、８・・減衰器、  ３、９・・位相器、
４、１０・・増幅器、  ６、１１・・遅延線、  ７、１２・・合成器、
２１・・周囲温度検出器、  ２２・・入力レベル検出器、
２３・・初期値算出装置、  Ｐ・・外部入力端子、  Ｑ・・外部出力端子、
【図１】
0003664625.tif 000002
【図２】
0003664625.tif 000003
【図３】
0003664625.tif 000004
【図４】
0003664625.tif 000005
【図５】
0003664625.tif 000006
【図６】
0003664625.tif 000007
【図７】
0003664625.tif 000008